(57)【要約】【課題】ランプ交換がしやすい昇降式照明装置において、点灯累積時間タイマの初期化誤操作を防止することができる昇降式照明装置。【解決手段】昇降式照明装置１の昇降部である灯具１４とともに昇降する制御回路１５に初期化スイッチ１９を設置した。そうすることによって、ランプＤＬの交換の時に降下させた時に初期化スイッチ１９を動作させる。【選択図】　図１
2004055423.tif 000002
【特許請求の範囲】
【請求項１】
昇降装置本体、昇降装置本体に搭載されたモータ、モータの回転軸の一端側に連結されて正逆転されるドラム、ドラムの外周に巻付けられてこのドラムの正逆転により巻入れ・巻出しされるワイヤロープおよびワイヤロープに連結され、このワイヤロープの巻入れ・巻出しに伴って降され、照明器具が着脱自在に取り付けられる昇降部と、を備えた昇降装置と；
昇降装置の昇降部に取り付けられランプを搭載した照明器具と；
照明器具に搭載されたランプの点灯累積時間を記憶し、この累積時間に応じて減少する前記ランプの光束を補うようにランプの調光度を前記点灯累積時間に応じて調整するように構成した照明制御手段と；
昇降部に取り付けられ照明制御手段の累積点灯時間を初期化するリセット手段とを具備していることを特徴とする昇降式照明装置。
【発明の詳細な説明】
【０００１】
【発明の属する技術分野】本発明は、ランプの累積点灯時間を記録し累積点灯時間を参照してランプの光出力がほぼ一定となるように制御する点灯制御手段を備えた昇降式照明装置に関する
【０００２】
【従来の技術】従来、照明制御装置を備えた照明器具においては、照明器具本体側に設置されている点灯装置または制御装置に点灯累積時間をカウントするタイマ機能を保持しており、ランプの点灯累積時間に基づいて調光度を決定し、ランプ光束を補正するように構成したものが知られている。
【０００３】
なお、蛍光ランプの場合、同じランプ入力に対して、光出力が初期の７０％程度に減少した時をランプ寿命末期とし、このランプ寿命末期までの点灯累積時間は、一般的に約１２，０００時間程度とされている。従って、ランプ点灯初期におけるランプ入力を７０％に設定し、点灯累積時間の経過に応じて調光度を漸次増加することにより、ランプ寿命末期に至るまでランプの明るさをほぼ一定となるようにしている。
【０００４】
そこで、特開２０００−２００６９１号公報には、蛍光ランプの交換を行った場合に累積点灯時間のリセットを自ずとされるように蛍光ランプの未接続状態が所定の時間を超えた場合に初期化するリセット手段を備えた蛍光灯点灯装置（従来例１）が開示されている。
【０００５】
【発明が解決しようとする課題】しかしながら、従来例１のような蛍光灯点灯装置では、例えば清掃など場合のように、ランプを新しいものに交換せずに使用中のものを取り付けるように、新しいランプに交換せずにランプをソケットから取り外した場合であっても蛍光灯点灯装置はランプが新しいものに交換されたと判断してしまい、累積点灯時間をリセットさせてしまう。
【０００６】
このように、ランプの交換を行っていないのに、誤って初期化操作をしてしまうと、ランプ光束は低下しているにも拘らず、調光度を低下させてしまうので、光出力が減少して不適切な照明となる難点がある。
【０００７】
また、照明装置は通常天井のような高い位置に取り付けられる事が多いため、ランプ交換時の作業は、危険を伴う。このため特開２００１−３０７５４０号公報には、昇降式照明装置の昇降部分に取り付けられた放電ランプの点灯装置と照明器具がメンテナンス時に降下され、メンテナンスしやすい照明装置（従来例２）が記載されている。
【０００８】
そこで、本発明においては、ランプ交換がしやすい昇降式照明装置において、点灯累積時間タイマの初期化誤操作を防止することができると共に、初期化誤操作した後においても点灯累積時間タイマの初期化回復を行うことのできるように構成した照明制御装置および照明器具を提供することを目的とする。
【０００９】
【課題を解決するための手段】請求項１の発明の昇降式照明装置は、昇降装置本体、昇降装置本体に搭載されたモータ、モータの回転軸の一端側に連結されて正逆転されるドラム、ドラムの外周に巻付けられてこのドラムの正逆転により巻入れ・巻出しされるワイヤロープおよびワイヤロープに連結され、このワイヤロープの巻入れ・巻出しに伴って降され、照明器具が着脱自在に取り付けられる昇降部と、を備えた昇降装置と；昇降装置の昇降部に取り付けられランプを搭載した照明器具と；照明器具に搭載されたランプの点灯累積時間を記憶し、この累積時間に応じて減少する前記ランプの光束を補うようにランプの調光度を前記点灯累積時間に応じて調整するように構成した照明制御手段と；昇降部に取り付けられ照明制御手段の累積点灯時間を初期化するリセット手段とを具備している。
【００１０】
本発明によれば、ランプ交換の際に照明器具とともに降下される昇降部に設けられているリセット手段によって、ランプ交換が行われたときに初期化する事ができるため、高いところでの交換作業を行うことがなく、また、累積点灯時間の初期化もランプ交換とともに行うことができるため、初期化作業も煩雑となる事がない。またランプが新しいものに交換されたときのみ初期化作業を行うことによって、誤って累積点灯時間の初期化を行うことが抑制できるものである。
【００１１】
【発明の実施の形態】本発明の昇降式照明装置の実施例を図を参照して説明する。図１は、昇降式照明装置の断面図である。図２は、昇降式照明装置の照明制御手段およびリセット手段のシステム構成の概略を示すブロック図である。
【００１２】
昇降式照明装置１の本体１０内部には、電動機１１、電動機１１によって回転するドラム１２、ドラム１２に取り付けられるワイヤ１３とワイヤ１３によって吊り下げられ昇降が可能である昇降部として、灯具１４とランプの点灯制御などを行う制御回路部１５からなる。灯具１４は、反射笠１６、反射笠１６に固定されるソケット１７およびソケット１７によって着脱可能な高圧放電ランプＤＬ、高圧放電ランプＤＬの電力を供給する接点１８ａなどから構成されている。制御回路部１３の外面には初期化スイッチ１９が取り付けられている。
【００１３】
照明制御手段は、ランプＤＬの点灯および調光を行う調光装置２１、ランプＤＬの点灯累積時間の設定とそのカウントを行う点灯累積時間タイマ２２、調光装置２１を点灯累積時間タイマ２２の点灯累積時間のカウントによって制御する制御部２３からなる。図２のブロック図は、この制御部２３において、前記点灯累積時間タイマ２２のカウント値から、昇降式照明装置１のランプＤＬの光束低下を推定してそれを補うような調光度を決定し、この調光度に基づいて前記調光装置２１を介してランプＤＬを点灯させるように構成を示している。また、図１の昇降式照明装置１の制御回路部１５には、これら、照明制御手段（調光装置２１、点灯累積時間タイマ２２、制御部２３）が収納させる。制御回路部１５の下部には、ランプＤＬの点灯累積時間の初期化操作を行うための初期化スイッチ１９が配置される。
【００１４】
次に、昇降式照明装置の点灯累積時間の初期化操作並びにその回復操作の典型的な実施の形態について説明する。
【００１５】
まず、ランプＤＬの点灯の開始と共に、点灯中であることの判定が定期的に行われる。そして、ランプＤＬが点灯中であれば、点灯累積時間タイマ２２のカウント動作（カウント増加）が逐次行われる。また、このカウント動作と共に、制御部２３において調光度の演算が行われ、調光装置２１を介してランプＤＬの明るさ制御が行われる。そして、この間において、初期化スイッチ１９による初期化操作が行われなければ、前記照明制御動作が繰り返し継続される。そうすることによって、ランプＤＬは、寿命中の長い期間においてほぼ一定の光出力となり、また、ランプＤＬの長寿命化もはかれるものである。
【００１６】
ランプＤＬの交換を行うような場合、制御盤またはリモコン送信機など（図示しない）から灯具１４の降下の命令が昇降式照明装置に与えられると、電動機１１に電力が供給され、電動機１１は動作を開始してドラム１２を回転させ、灯具１４を降下させる。そうして、灯具１４が下降して、ランプ交換作業の容易な床面から約１．２ｍ位の高さで灯具を停止させる。ランプＤＬを交換が終了した後には、灯具１４とともに降下している初期化スイッチ１９をオンして、累積点灯時間を初期化する。そうして、初期化スイッチ１９により初期化操作を行った場合には、制御部２３において、現在点灯累積時間タイマ２２のカウントをリセットする。
【００１７】
そして、灯具１４の上昇命令が昇降式照明装置に与えられると、電動機１１に電力が供給され、電動機１１は動作を開始してドラム１２を回転させ、灯具１４を上昇させる。接点１８が接触するまで上昇し固定される。
【００１８】
なお、前記調光度の決定は、前記制御部２３において、所要の演算式を用いて演算により行ってもよいし、あるいは調光度に関するデータを予めテーブル化して設定しておき、このテーブルを参照して調光度を決定するように構成してもよい。また、灯具に取り付けられるランプＤＬの種類によって調光度が異なる場合があるので、制御回路部１５の外部に切り換えスイッチなどを設けて、ランプの種類によって調光度が切り替わるようにしてもよい。
【００１９】
さらに、ランプの点灯装置および照明制御手段を昇降式照明装置の本体側１０、または昇降式照明装置が取り付けられている天井面側に設置するようにしても構わない。
【００２０】
【発明の効果】請求項１の発明によれば、ランプ交換の際に照明器具とともに降下される昇降部に設けられているリセット手段によって、ランプ交換が行われたときに初期化する事ができるため、高いところでの交換作業を行うことがなく、また、累積点灯時間の初期化もランプ交換とともに行うことができるため、初期化作業も煩雑となる事がない。またランプが新しいものに交換されたときのみ初期化作業を行うことによって、誤って累積点灯時間の初期化を行うことが抑制できるものである。
【図面の簡単な説明】
【図１】本発明の昇降式照明装置の実施形態の断面図。
【図２】昇降式照明装置の照明制御手段などの概略ブロック図。
【符号の説明】
１…昇降式照明装置、１１・・モータ、１２・・・ドラム、１３・・・ワイヤ、１４・・・灯具、１５・・・制御回路部、１９・・・初期化スイッチ
【図１】
2004055423.tif 000003
【図２】
2004055423.tif 000004